(57)【要約】【課題】  小さな鞄とともに杖などの棒状部材とを容易に保持でき、使用しない時は邪魔にならない場所に容易に収納できる保持具を提供する。【解決手段】  荷物を保持するための荷物用フックと、荷物の落下を防止するために台に設置する落下防止用フックと、荷物用フックと前記落下防止用フックとの上下関係を逆転させる方向に回転する回転軸と、からなる荷物保持部材と、棒状部材を保持するためのものであって、前記荷物保持部材に回転可能に取り付けられた棒保持部材とからなり、  前記棒保持部材は、前記荷物保持部材に対して垂直になる方向、および、前記荷物保持部材と水平になる方向に回転可能にした荷物保持具である。【選択図】図１
2019058632.tif 000002
【特許請求の範囲】
【請求項１】
荷物を保持するための荷物用フックと、前記荷物の落下を防止するために台に設置する落下防止用フックと、前記荷物用フックと前記落下防止用フックとの上下関係を逆転させる方向に回転する回転軸と、からなる荷物保持部材と、
棒状部材を保持するためのものであって、前記荷物保持部材に回転可能に取り付けられた棒保持部材とからなり、
前記棒保持部材は、
前記荷物保持部材に対して垂直になる方向、および、前記荷物保持部材と平行になる方向に回転可能である
ことを特徴とする保持具。
【請求項２】
前記棒保持部材は前記荷物保持部材より柔軟な素材で形成されていることを特徴とする請求項１記載の保持具。
【請求項３】
前記落下防止用フックを前記台に設置した場合、前記棒保持部材は、前記落下防止用フックよりも前記台の外側に突出することを特徴とする請求項１記載の保持具。
【請求項４】
前記棒保持部材は、重力で下方に垂れ下がることを防止する垂れ下がり防止手段を備えることを特徴とする請求項１記載の保持具。
【請求項５】
前記回転軸は、
前記荷物保持部材の一部であって、前記荷物用フックの先端部以外および前記落下防止用フックの先端部以外の場所に連結されていることを特徴とする請求項１記載の保持具。
【請求項６】
前記荷物保持部材と前記棒保持部材とを、前記台の下面に保持するための面下保持部材を備えることを特徴とする請求項１記載の保持具。
【請求項７】
前記面下保持部材は、前記荷物保持部材と前記棒保持部材とを、折りたたんだ状態で前記台の縁部の近傍に水平に保持することを特徴とする請求項６記載の保持具。
【請求項８】
前記面下保持部材は、前記落下防止用フックの開口部を前記台の内側方向に向けて前記落下防止用フックを保持することを特徴とする請求項６記載の保持具。
【請求項９】
前記面下保持部材は、前記落下防止用フックを前記台の外側方向に水平に引き出すための引き出し部材を備えることを特徴とする請求項９記載の保持具。
【請求項１０】
前記面下保持部材は、引き出された前記落下防止用フックを前記台の内側方向に引き戻すための引き戻し部材を備えることを特徴とする請求項９記載の保持具。
【請求項１１】
前記台と前記荷物保持部材とを連結する連結部材を有し、
前記連結部材は、前記落下防止用フックの先端を、前記台の外側まで突出させることが可能な長さを有することを特徴とする請求項９記載の保持具。
【請求項１２】
前記回転軸は、
前記落下防止用フックの先端が前記外縁に位置するまで引き出された場合でも、前記回転軸の一部が前記面下保持部材の中に収納される長さを有することを特徴とする請求項９記載の保持具。
【請求項１３】
荷物を保持するための荷物用フックと、前記荷物の落下を防止するために台に設置する落下防止用フックとからなる荷物保持部材と、
棒状部材を保持するためのものであって、前記荷物保持部材に回転可能に取り付けられた棒保持部材とからなり、
前記棒保持部材は、
前記荷物保持部材に対して垂直になる方向、および、前記荷物保持部材と平行になる方向に回転可能であることを特徴とする保持具。
【請求項１４】
前記棒保持部材は前記荷物保持部材より柔軟な素材で形成されていることを特徴とする請求項１３記載の保持具。
【請求項１５】
前記落下防止用フックを前記台に設置した場合、
前記棒保持部材は、前記落下防止用フックよりも前記台の外側に突出することを特徴とする請求項１３記載の保持具。
【請求項１６】
前記棒保持部材は、重力で下方に垂れ下がることを防止する垂れ下がり防止手段を備えることを特徴とする請求項１３記載の保持具。
【請求項１７】
前記荷物保持部材と前記棒保持部材とを、前記台の下面に水平に保持するための面下保持部材を備えることを特徴とする請求項１３記載の保持具。
【請求項１８】
前記面下保持部材は、前記荷物保持部材と前記棒保持部材とを、前記台の縁部の近傍に保持することを特徴とする請求項１７記載の保持具。
【請求項１９】
前記面下保持部材は、前記落下防止用フックの開口部を前記台の内側方向に向けて、前記落下防止用フックを保持することを特徴とする請求項１７記載の保持具。
【請求項２０】
前記面下保持部材は、前記荷物保持部材と前記台の下面との間に、前記棒保持部材を挿入可能な空間を形成することを特徴とする請求項１７記載の保持具。
【請求項２１】
前記荷物保持部材または前記棒保持部材は、前記面下保持部材と脱着可能な脱着部材を備えることを特徴とする請求項１７記載の保持具。
【請求項２２】
前記荷物保持部材および前記棒保持部材を水平にした場合において、
前記着脱部材は、前記荷物保持部材または前記棒保持部材の上部に設けられていることを特徴とする請求項２１記載の保持具。
【請求項２３】
前記面下保持部材は、
前記荷物保持部材と前記棒保持部材とを、前記台に連結する連結部材を備えることを特徴とする請求項１３記載の保持具。
【請求項２４】
前記連結部材は、前記荷物用フックの先端部以外および前記落下防止用フックの先端部以外の場所に連結されていることを特徴とする請求項２３記載の保持具。
【請求項２５】
前記連結部材は、前記落下防止用フックの先端が、前記台の外側に突出可能な長さを有する備えることを特徴とする請求項２３記載の保持具。
【請求項２６】
前記荷物用フックと前記落下防止用フックとは回転可能に結合しており、
前記荷物用フックと前記荷物用フックと前記棒保持部材とは三重に折りたたむことが可能であることを特徴とする請求項１３記載の保持具。
【請求項２７】
棒状部材を一方側面から支持する本体部と、
前記棒状部材を他方側面から支持する可動部材とからなり、
前記本体部は、
前記可動部材との接合部と、
前記可動部材との間に空間を形成する第１空間形成部と、
前記棒状部材を保持する際に前記可動部材と接合するための保持用の前記第１着脱部材と、
前記可動部材を収納する際に前記可動部材と接合するための収納用の前記第１着脱部材と、
を有し、
前記可動部材は、
前記本体部との間に空間を形成する第２空間形成部と、
前記第１着脱部材と着脱可能な第２着脱部材と、
を有する、
ことを特徴とする保持具。
【請求項２８】
前記第１空間形成部と前記第２空間形成部との間に形成される空間は、立てた状態の杖または傘を収納できる大きさを有することを特徴とする請求項２７記載の保持具。
【請求項２９】
前記収納用の前記第１着脱部材は、
前記収納用の前記第１着脱部材と前記第２着脱部材とを接合した場合、前記可動部材がほぼ平面部材となる位置に設けられていることを特徴とする請求項２７記載の保持具。
【請求項３０】
前記本体部は台の外縁に設置されることを特徴とする請求項２７記載の保持具。
【請求項３１】
前記本体部を、台の下面の内側、または、前記台の外縁近傍に保持する面下保持部材を有することを特徴とする請求項２７記載の保持具。
【請求項３２】
前記本体部を、前記台の内側方向から、前記台の外側方向に引き出す引き出し部材を有することを特徴とする請求項２７記載の保持具。
【請求項３３】
前記本体部は、
前記台の縁近傍に設けられた面下保持部材に回転可能に取り付けられ、
前記本体部が台の内側に向かう方向、および、前記本体部が前記台の外側に向かう方向に回転可能であることを特徴とする請求項３１記載の保持具。
【請求項３４】
前記面下保持部材はその下面に前記第１着脱部材を有し、
前記本体部はその裏側に前記第２着脱部材を有し、
前記面下保持部材に前記第１着脱部材と前記本体部の第２着脱部材とを接合することにより前記本体部は前記台の前記下面の内側に保持されることを特徴とする請求項３１記載の保持具。
【請求項３５】
前記本体部は、前記本体部が前記台の内側方向および外側方向に揺れることを防止するための本体固定部材に支持されることを特徴とする請求項３３記載の保持具。
【請求項３６】
荷物を保持するための荷物用フックと、前記荷物の落下を防止するために台に設置する落下防止用フックと、前記荷物用フックと前記落下防止用フックとの上下関係を逆転させる方向に回転する回転軸と、
前記荷物用フックと前記落下防止用フックとを、前記台の下面に水平に保持するための面下保持部材と、
前記荷物用フックと前記落下防止用フックとを前記台の外側に引き出すための引き出し部材とを備えることを特徴とする保持具。
【請求項３７】
前記荷物用フックを前記台に設置する際に、
前記荷物用フックまたは前記落下防止用フックを、前記台の外側に突出させ、前記荷物用フックまたは前記落下防止用フックを棒状部材を保持する棒保持部材として機能させるためのストッパーを有することを特徴とする請求項３６記載の保持具。
【請求項３８】
荷物を保持する荷物用フックと、
棒状部材を保持する棒保持部材と、
前記荷物用フックと前記棒保持部材とを台の下面に保持する面下保持部材と、
からなり、
前記荷物用フックは、
前記面下保持部材に、前記下面と平行になる方向および前記下面に対し垂直になる方向に回転可能に取り付けられ、
前記棒保持部材は、
前記面下保持部材に、前記台の外縁より外側に突出可能に取り付けられ、
前記面下保持部材は、
前記荷物用フックを前記下面と平行にした状態で保持するための荷物用フック保持領域と、
前記荷物用フック保持領域以外であって前記棒保持部材を保持するための棒保持部材保持領域を有することを特徴とする保持具。
【発明の詳細な説明】
【技術分野】
【０００１】  本発明は、杖などの棒状部材や小さな鞄などを机に保持する保持具に関する。
【背景技術】
【０００２】  本格的な高齢化社会を迎え、高齢者の数が急増している。高齢者の中には足腰に障害をかかえ、杖をついて歩行する人が多いが、杖を利用する高齢者はいつも杖の置き場所に困っている。
例えば、高齢者は高齢者施設を頻繁に利用するが、高齢者施設に到着して椅子に着席すると、杖を机や椅子に立てかける。しかし、杖を机や椅子に立てかけても、すぐに杖が滑り落ちてしまう。そこで、図１１のような杖の保持具８１が提供されている。これは机８０の外側に向かって開口する開口部８２を有するＣの字型の部材である。これを机の外縁に固定し、杖８３を開口部８２に挿入すれば杖を保持できる。【０００３】
【先行技術文献】
【非特許文献】
【０００４】
【非特許文献１】楽天市場ホームページ、ｈｔｔｐｓ：／／ｉｔｅｍ．ｒａｋｕｔｅｎ．ｃｏ．ｊｐ／ｃａｒｅｒｏｏｔｓ／２８５８５０／、２０１７年９月２４日検索
【発明の概要】
【発明が解決しようとする課題】
【０００５】  しかし、この保持具８０は机８１の外側に突出するように固定するため邪魔であり、人や物とぶつかりやすく、すぐに破損してしまうという問題があった。
更に、高齢者は杖とともに小さな鞄を持ち歩くことが多いため、この保持具８０に鞄をぶら下げる人もいる。しかしこの保持具は鞄を保持するほどの強度はないので、鞄の重みで保持具が外れてしまうこともあった。
すなわち、杖と小さな鞄を持ち歩く高齢者の行動パターンに合致した保持具は現在まで提供されていないのである。【０００６】  本発明は、このような課題を解決するためのものであり、小さな鞄とともに杖などの棒状部材とを容易に保持でき、使用しない時は邪魔にならない場所に容易に収納できる保持具を提供するものである。
【課題を解決するための手段】
【０００７】  上記問題を解決するため、本発明では、以下の保持具が提供される。
（１）  荷物を保持するための荷物用フックと、前記荷物の落下を防止するために台に設置する落下防止用フックと、前記荷物用フックと前記落下防止用フックとの上下関係を逆転させる方向に回転する回転軸と、からなる荷物保持部材と、
棒状部材を保持するためのものであって、前記荷物保持部材に回転可能に取り付けられた棒保持部材とからなり、前記棒保持部材は、前記荷物保持部材に対して垂直になる方向、および、前記荷物保持部材と平行になる方向に回転可能である。
（２）  前記棒保持部材は前記荷物保持部材より柔軟な素材で形成されている。
（３）  前記落下防止用フックを前記台に設置した場合、前記棒保持部材は、前記落下防止用フックよりも前記台の外側に突出する。
（４）  前記棒保持部材は、重力で下方に垂れ下がることを防止する垂れ下がり防止手段を備える。
（５）  前記回転軸は、前記荷物保持部材の一部であって、前記荷物用フックの先端部以外および前記落下防止用フックの先端部以外の場所に連結されている。
（６）  前記荷物保持部材と前記棒保持部材とを、前記台の下面に保持するための面下保持部材を備える。
（７）  前記面下保持部材は、前記荷物保持部材と前記棒保持部材とを、折りたたんだ状態で前記台の縁部の近傍に水平に保持する。
（８）  前記面下保持部材は、前記落下防止用フックの開口部を前記台の内側方向に向けて前記落下防止用フックを保持する。
（９）  前記面下保持部材は、前記落下防止用フックを前記台の外側方向に水平に引き出すための引き出し部材を備える。
（１０）  前記面下保持部材は、引き出された前記落下防止用フックを前記台の内側方向に引き戻すための引き戻し部材を備える。
（１１）  前記台と前記荷物保持部材とを連結する連結部材を有し、前記連結部材は、前記落下防止用フックの先端を、前記台の外側まで突出させる。
（１２）  前記回転軸は、前記落下防止用フックの先端が前記外縁に位置するまで引き出された場合でも、前記回転軸の一部が前記面下保持部材の中に収納される長さを有する。
（１３）  荷物を保持するための荷物用フックと、前記荷物の落下を防止するために台に設置する落下防止用フックとからなる荷物保持部材と、棒状部材を保持するためのものであって、前記荷物保持部材に回転可能に取り付けられた棒保持部材とからなり、前記棒保持部材は、前記荷物保持部材に対して垂直になる方向、および、前記荷物保持部材と平行になる方向に回転可能である。
（１４）  前記棒保持部材は前記荷物保持部材より柔軟な素材で形成されている。
（１５）  前記落下防止用フックを前記台に設置した場合、前記棒保持部材は、前記落下防止用フックよりも前記台の外側に突出する。
（１６）  前記棒保持部材は、重力で下方に垂れ下がることを防止する垂れ下がり防止手段を備える。
（１７）  前記荷物保持部材と前記棒保持部材とを、前記台の下面に水平に保持するための面下保持部材を備える。
（１８）  前記面下保持部材は、前記荷物保持部材と前記棒保持部材とを、前記台の縁部の近傍に保持する。
（１９）  前記面下保持部材は、前記落下防止用フックの開口部を前記台の内側方向に向けて、前記落下防止用フックを保持する。
（２０）  前記面下保持部材は、前記荷物保持部材と前記台の下面との間に、前記棒保持部材を挿入可能な空間を形成する。
（２１）  前記荷物保持部材または前記棒保持部材は、前記面下保持部材と脱着可能な脱着部材を備える。
（２２）  前記荷物保持部材および前記棒保持部材を水平にした場合において、前記着脱部材は、前記荷物保持部材または前記棒保持部材の上部に設けられている。
（２３）  前記面下保持部材は、前記荷物保持部材と前記棒保持部材とを、前記台に連結する連結部材を備える。
（２４）  前記連結部材は、前記荷物用フックの先端部以外および前記落下防止用フックの先端部以外の場所に連結されている。
（２５）  前記連結部材は、前記落下防止用フックの先端が、前記台の外側に突出可能な長さを有する備える。
（２６）  前記荷物用フックと前記落下防止用フックとは回転可能に結合しており、
前記荷物用フックと前記荷物用フックと前記棒保持部材とは三重に折りたたむことが可能である。
（２７）  棒状部材を一方側面から支持する本体部と、前記棒状部材を他方側面から支持する可動部材とからなり、前記本体部は、前記可動部材との接合部と、前記可動部材との間に空間を形成する第１空間形成部と、前記棒状部材を保持する際に前記可動部材と接合するための保持用の前記第１着脱部材と、前記可動部材を収納する際に前記可動部材と接合するための収納用の前記第１着脱部材とを有し、前記可動部材は、前記本体部との間に空間を形成する第２空間形成部と、前記第１着脱部材と着脱可能な第２着脱部材とを有する。
（２８）  前記第１空間形成部と前記第２空間形成部との間に形成される空間は、立てた状態の杖または傘を収納できる大きさを有する。
（２９）  前記収納用の前記第１着脱部材は、前記収納用の前記第１着脱部材と前記第２着脱部材とを接合した場合、前記可動部材がほぼ平面部材となる位置に設けられている。
（３０）  前記本体部は台の外縁に設置される。
（３１）  前記本体部を、台の下面の内側、または、前記台の外縁近傍に保持する面下保持部材を有する。
（３２）  前記本体部を、前記台の内側方向から、前記台の外側方向に引き出す引き出し部材を有する。
（３３）  前記本体部は、前記台の縁近傍に設けられた面下保持部材に回転可能に取り付けられ、前記本体部が台の内側に向かう方向、および、前記本体部が前記台の外側に向かう方向に回転可能である。
（３４）  前記面下保持部材はその下面に前記第１着脱部材を有し、前記本体部はその裏側に前記第２着脱部材を有し、前記面下保持部材に前記第１着脱部材と前記本体部の第２着脱部材とを接合することにより前記本体部は前記台の前記下面の内側に保持される。
（３５）  前記本体部は、前記本体部が前記台の内側方向および外側方向に揺れることを防止するための本体固定部材に支持される。
（３６）  荷物を保持するための荷物用フックと、前記荷物の落下を防止するために台に設置する落下防止用フックと、前記荷物用フックと前記落下防止用フックとの上下関係を逆転させる方向に回転する回転軸と、前記荷物保持部材と前記棒保持部材とを、前記台の下面に水平に保持するための面下保持部材と、前記荷物保持部材を前記台の外側に引き出すための引き出し部材と、を備える。
（３７）  前記荷物用フックを前記台に設置する際に、前記荷物用フックまたは前記落下防止用フックを、前記台の外側に突出させ、前記荷物用フックまたは前記落下防止用フックを棒状部材を保持する棒保持部材として機能させるためのストッパーを有する。
（３８）  荷物を保持する荷物用フックと、棒状部材を保持する棒保持部材と、前記荷物用フックと前記棒保持部材とを台の下面に保持する面下保持部材とからなり、前記荷物用フックは前記面下保持部材に、前記下面と平行になる方向および前記下面に対し垂直になる方向に回転可能に取り付けられ、前記棒保持部材は、前記面下保持部材に、前記台の外縁より外側に突出可能に取り付けられ、前記面下保持部材は、前記荷物用フックを前記下面と平行にした状態で保持するための荷物用フック保持領域と、前記荷物用フック保持領域以外であって前記棒保持部材を保持するための棒保持部材保持領域を有する。
【発明の効果】
【０００８】（１）本発明を利用すれば、簡単に鞄や杖などを同時に保持でき、高齢者の行動パターンに合致した保持具を提供できる。また、使用しない時は、保持具を折り畳んで平面的に収納できるので、邪魔にならない。
（２）本発明は、荷物保持部材を硬質のワイヤーとしているので、鞄をしっかりと保持できる。また、棒保持部材をそれより柔軟な素材としているので、棒保持部材を指先で自由に変形させて、杖等を巻きつけるようにしっかりと保持できる。
（３）棒保持部材を落下防止用フックより台の外側に突出させれば（落下防止用フックを台に密着させると共に、棒保持部材を台から大きく突出させれば）、落下防止用フックは邪魔にならないと共に、突出量の多い棒保持部材で杖をしっかりと保持できる。
（４）垂れ下がり防止部材を設ければ、棒保持部材を台の下面に水平に保持できるので、棒保持部材が邪魔になることがない。
（５）回転軸や連結部材を荷物用フックの先端部以外の場所に設ければ、荷物用フックが荷物を保持する際に回転軸が邪魔になることがない。また、落下防止用フックの先端部以外の場所に設ければ、、落下防止用フックを台に設置する際に、回転軸が邪魔になることがない。
（６）面下保持部材を使用すれば、荷物保持部材を台の下に収納できるので、荷物保持部材が邪魔になることがない。また、台の縁部近傍に荷物保持部材を保持すれば、使用するときにすぐに手が届き、引き出し幅も最小限にすることができる。
（７）落下防止用フックの開口部を机の奥の方向に向けて収納すれば、落下防止用フックを一旦台の外側に引き出してその後台に引き戻して設置する際、落下防止用フックの向きを変えずに、そのままの向きで台に設置できる。
（８）荷物保持部材を水平に引き出す引き出し部材を設ければ、落下防止用フックを９０度回転させるだけで容易に落下防止用フックを台に設置できる。また、引き出し部材や連結部材は少なくとも落下防止用フックの先端を台の外側まで引き出すことができる長さ等を有するので、確実に落下防止用フックを台に設置できる。すなわち、落下防止用フックの先端が台の外縁にぶつかって落下防止用フックを台に設置できないという不都合を回避できる。
（９）落下防止用フックの先端を台の外縁まで引き出しても、回転軸の一部は面下保持部材に収納されているので、引き出した際に回転軸が面下保持部材から外れてしまうという不都合を回避できる。
（１０）面下保持部材と荷物保持部材との間に棒保持部材を挿入できる空間を設ければ、その空間に棒保持部材を収納でき、棒保持部材の垂れ下がりを防止できる。
（１１）着脱部材を使用すれば、容易に何度でも付けたり剥がしたりを繰り返すことができる。
【図面の簡単な説明】
【０００９】
【図１】  実施例１に係る荷物保持具および荷物保持部材を表した図である。
【図２】  荷物保持具の動作を表した斜視図である。
【図３】  荷物保持具の使用方法を表した図である。
【図４】  実施例２に係る荷物保持具を表した図である。
【図５】  荷物保持具の使用方法を表した図である。
【図６】  実施例３に係る棒の保持具を表した図である。
【図７】  実施例４に係る棒の保持具を表した図である。
【図８】  本体固定部材を備えた保持具を表したずである。
【図９】  実施例５に係る荷物保持具を表した図である。
【図１０】  実施例６に係る荷物保持具を表した図である。
【図１１】  従来例の杖の保持具を表した図である。
【発明を実施するための形態】
【実施例１】
【００１０】  本発明の実施例１を図に基づいて説明する。
図１（ａ）は、荷物保持具１を後述する面下保持部材１０に収納した状態を示すの斜視図であり、図１（ｂ）は荷物保持部材１のみを表した斜視図である。
荷物保持具１は、荷物保持部材２と棒保持部材６とからなる。
荷物保持部材２は、鉤状の荷物用フック３と鉤状の落下防止用フック４とからなるＳ字型のワイヤー（針金）に、支持棒５を取り付けたものである。
荷物用フック３と落下防止用フック４に使用されるワイヤーは硬質素材であり、小さな荷物（鞄）を吊るしても容易には変形しない程度の硬さが好ましい。
荷物用フック３は、先端部３ａと、根元部３ｃと、先端部３ａと根元部３ｃとの間に位置する胴体部３ｂとからなる（図１（ｂ））。
落下防止用フック４は、先端部４ａと、根元部４ｃと、先端部４ａと根元部４ｃとの間に位置する胴体部４ｂとからなる（図１（ｂ））。
支持棒５は、落下防止用フック４の根元近辺から後方に伸びる部材であり、荷物用フック３および落下防止用フック４と水平になるように設けられている。なお、支持棒５は、荷物用フック３の先端部３ａ以外の場所、且つ、落下防止用フック４の先端部４ａ以外の場所に設ける。すなわち、支持棒５は、荷物用フック３の胴体部３ｂまたは根元部３ｂまたは落下防止用フック４の胴体部４ｂまたは根元部４ｃに取り付ける。先端部３ａに設けると荷物を保持する場所が極めて狭くなり、先端部４ａに設けると台２１に落下防止用フック４をしっかりと設置できないからである。なお、落下防止用フック４の根元部４ｃに支持棒５を設けると、保持具１を最小化できる。【００１１】  棒保持部材６は、杖などの棒状部材を保持するためのワイヤーであり、荷物保持部材２に回転可能に取り付けられている。棒保持部材６は、先端部６ａと、回転軸６ｃと、先端部６ａと回転軸６ｃ（根元部）との間に位置する胴体部６ｂとからなる（図１（ｂ））。棒保持部材６は、回転軸６ｃにより、荷物保持部材２に対して垂直となる方向および荷物保持部材と平行（水平）になる方向に回転可能である。棒保持部材６に使用されるワイヤーは、荷物用フック３や落下防止用フック４よりも柔らかい素材であり、杖などの棒状部材を立てかけても変形しない程度の硬さを有すると共に、人間の指先の力で容易に曲げて変形させることができる程度の硬さが好ましい。【００１２】  円筒７は、内部空間８を有する筒状の部材であり、内部空間８には支持棒５と回転軸６ｃとが平行に収納され、内部空間８の隙間には充填材９が充填されている。なお、充填材９は、支持棒５を強固に固定する一方、回転軸６ｃを強固に固定するものではなく、回転軸６ｃはその軸を中心に回転可能に円筒７に保持されている【００１３】  面下保持部材１０は、内部空間１１を有する四角い筒状部材である。一辺の長さが円筒７の直径よりやや長く形成され、内部空間１１に円筒７を収納する。円筒７は、この面下保持部材１０に保持され、面下保持部材１０の内壁に沿って長手方向に往復することが可能である。【００１４】  面下保持部材１０の後方端部と円筒７の後方端部とは、ゴムやバネなどの伸縮部材や紐などの連結部材１２で連結されている。【００１５】  図１（ｃ）（ｄ）のように、面下保持部材１０は机２０の台２１の下面２２に取り付けられるものである。取付位置は、机２０の外縁２３の近傍であり、且つ、荷物保持具１が下面２２の外縁から突出しない位置（台２１の内側）が好ましい。また、取り付ける方向は、荷物用フック３の開口部が机の外側方向（正面方向）を向き、落下防止用フック４の開口部が机の内側方向（台２１の奥の方向／正面とは逆方向）を向くように取り付けるのが好ましい。
なお、連結部材１２の長さは、落下防止用フック４の先端が外縁２３より外側に突出する長さであると共に、外縁２３近傍で止まる長さ（外縁２３から大きく離れない長さ）が好ましい。【００１６】  次に荷物保持部材１の動きについて説明する。
図２（ａ）の上段の図は、荷物保持部材２および保持する円筒７を前方（台２１の外側）に引き出した図である。このように荷物保持部材２は前方に水平に引き出すことができる。
図２（ａ）の中段の図は、引き出した荷物保持部材２を地面に対して垂直になる方向に回転させた斜視図であり、図２（ｂ）上段の図はその正面図である。このように荷物保持部材２は支持棒５と円筒７とが一体となった回転軸を中心に、荷物用フック２と落下防止用フック３の上下関係を逆転させる方向に回転させることができる。
図２（ａ）の下段の図は、荷物保持部材２を回転させたことに伴い、下方に垂れ下がった棒保持部材６を、地面に対して水平方向（荷物保持部材２に対して垂直になる方向）に回転させた状態を表す斜視図であり、図２（ｂ）下段の図はその正面図である。このように棒保持部材６は回転軸６ｃを中心に自由に回転させることができる。なお、充填部材８と回転軸６ｃとは一定の摩擦抵抗があり、その摩擦抵抗により棒保持部材６は任意の角度で止めることができる（垂れ下がり防止手段）。また、棒保持部材の先端６ａまたは胴体部６ｂは、荷物保持部材２よりも机２０の外側に突出することが好ましい。【００１７】  次に、荷物保持具１の使用方法を説明する。
図３（ａ）は、荷物保持具１を机２０の台２１の下面２２に取り付ける方法を示した図である。ここでは面下保持部材１０の上面に両面テープ２５を貼り、下面２２に取り付けることとするが、螺子など他の様々な取付部材・固定部材で取り付けてもよい。なお、取り付け位置や取付方向は前述の通りである。この時点において、荷物保持部材２と棒保持部材６とは折りたたまれた状態で水平に下面２２に保持されている（図１（ｃ））。
次に、荷物保持部材２を台２１の外側まで引き出す（図５（ｂ））。この際、連結部材１２は、落下防止用フック４の先端が台２１の外側まで突出することができる長さを有するので、落下防止用フック４の先端が台２１の外側まで突出するところまで引き出すことができる。なお、ここでは円筒７と面下保持部材１０とが引き出し部材としての役割を果たす。また、円筒７の一部（後方部）は落下防止用フック４の先端が台２１の外側まで突出するところまで引き出しても面下保持部材１０内に収納される長さを有する。これにより円筒７が面下保持部材１０から外れることがなく、引き戻すことが容易となる。【００１８】  次に、引き出した荷物保持部材２を地面に対し垂直になるよう回転させる（図３（ｃ））。
次に、落下防止用フック４を台２２の上に設置する（図３（ｄ））。すなわち、引き出した荷物保持部材２を面下保持部材１０に戻す。この際、連結部材１２をゴムやバネなどの伸縮性のある素材（引き戻し部材）にすれば、荷物保持部材２から手を離すだけで戻るので手間が省けて楽である。
次に、垂れ下がった棒保持部材６を地面に対して水平となるよう、荷物保持部材１に対して垂直となる方向に棒保持部材６を回転させる（図３（ｅ））。
次に、荷物用フック３に鞄３０を吊るし、杖３１を棒保持部材６と台２２の外縁２３との間に形成された空間に挿入し杖３１を立てかけ、棒保持部材６によって杖３１を保持する（図３（ｆ））。
このようにすれば、鞄と杖とを同時に容易に保持できる。
【実施例２】
【００１９】  本発明の実施例２を図に基づいて説明する。
図４は本実施例の荷物保持具１の斜視図である。
実施例１では、円筒７を机２０に保持する手段として、四角い筒状部材である面下保持部材１０を使用していたが、本実施例にでは鉄板４０と円筒７の上面に取り付けられた板状の磁石４１とが面下保持部材４２の役割を果たす。
すなわち、図４（ｂ）（ｃ）のように、机２０の台２１の下面２２の端部２３近傍に鉄板４０を固定し、鉄板４０と円筒７の上面に取り付けられた磁石４１とをくっつけることにより、円筒７を机２０に保持する。なお、このように保持されている状態において、鉄板４０と荷物保持部材２との間には棒保持部材６を収納できる空間が形成される。また、荷物保持具１の保持位置や保持方向は実施例１と同様である。
本実施例では鉄板４０と磁石４１とが着脱部材としての役割を果たす。【００２１】  面下保持部材４２の後方端部と円筒７の後方端部とは、紐やゴム（伸縮部材）などの連結部材４３で連結されている。【００２２】  次に、荷物保持具１の使用方法を説明する。
図５は、荷物保持具１を机２０の台２１の下面２２に取り付ける方法および円筒７（荷物保持具１）の保持方法を示した図である。鉄板４０の上面を両面テープなどで下面２２に固定し、円筒７の上面に取り付けられた磁石４１を鉄板４０にくっつける（図５（ａ））。これにより荷物保持具１は下面２２に設置される。なお、ここでは鉄板４０の上面に両面テープを貼り、面下２２に水平に取り付けることとするが、螺子など他の様々な取付部材・固定部材で鉄板４０を取り付けてもよい。なお、取り付け位置や取付方向は前述の通りである。【００２３】  次に、荷物保持部材２を台２１の外側まで引き出す（図５（ｂ））。この際、落下防止用フック４の先端が台２１の外側まで突出するまで引き出す。すなわち、連結部材４３は落下防止用フック４の先端が台２１の外側まで突出するまでの長さを有する。
次に、引き出した荷物保持部材２を地面に対し垂直になるよう回転させる（図５（ｃ））。
次に、落下防止用フック４を台２２の上に設置する（図５（ｄ））。すなわち、引き出した荷物保持部材２を机２０の内側方向（奥方向）に戻す。
次に、垂れ下がった棒保持部材６を地面に対して水平となるよう、荷物保持部材１に対して垂直となる方向に棒保持部材６を回転させる（図５（ｅ））。
次に、荷物用フック３に鞄３０を吊るし、杖３１を棒保持部材６と台２２の外縁２３との間に形成された空間に挿入し杖３１を立てかけ、棒保持部材６によって杖３１を保持する（図５（ｆ））。
このようにすれば、鞄と杖とを同時に容易に保持でき、引き出し部材を必要としない点で実施例１よりも製造が容易である。
【実施例３】
【００２４】  本発明の実施例３を図に基づいて説明する。
図６は本実施例の棒保持具５０の斜視図である。
棒保持具５０は、杖などの棒状部材３１を一方側面（机２０の方向）から支持する本体部５１と、棒状部材を他方側面（机２０の外側）から支持する可動部材５２とからなる。【００２５】  本体部５１は、帯状の板材であり、その素材は鉄や樹脂などの硬質の部材が好ましい。
本体部５１は可動部材５２との接合部５３を有する。すなわち、本体部５１は左端部近傍で可動部材５２と接合している。接合する手段としては接着剤や縫合などの固定手段で固定してもよいし、磁石や面テープ等の着脱可能な手段で接合してもよい。
本体部５１は、接合部５３の右隣りに可動部材５２との間に空間を形成する第１空間形成部５４を有する。第１空間形成部５４は杖などの棒状部材の直径よりやや長く、５０ｍｍから８０ｍｍ程度が好ましい。
本体部５１は、第１空間形成部５４の隣に面ファスナーのフック部材５５ａ（密集したフック状の起毛を有する部材）を有する。このフック部材の大きさは任意であるが、ここでは一辺が１０ｍｍ程度の四角形とする。なお、このフック部材５５ａが「保持用の第１着脱部材」としての役割を果たす。
本体部５１は、フック部材５５ａの隣に、これと同様のフック部材５５ｂを有する。このフック部材の大きさは任意であるが、は１０ｍｍ程度の四角形とする。なお、このフック部材５５ｂが「収納用の第１着脱部材」としての役割を果たす。【００２６】  可動部材５２は、布や繊維などの柔らかい素材で形成された帯状の部材であり、本体部５１よりやや小さく形成されたものである。
可動部材５２は、左端部側に本体部５１との接合部５３を有する。
可動部材５２は、接合部５３の右隣りに本体部５１との間に空間を形成する第２空間形成部５６を有する。第２空間形成部５６は第１空間形成部５４杖の長さにフック部材５５ａの長さを足した長さ（６０ｍｍから９０ｍｍ程度）が好ましい。
可動部材５２は、第２空間形成部５６の右隣に面ファスナーのループ部材５７（密集したループ状の起毛を有するもので、フック部材５５ａおよびフック部材５５ｂと繰り返し着脱できる部材）を有する。【００２７】  なお、本体部５１は、左端から接合部５３、第１空間形成部５４、フック部材５５ａ、フック部材５５ｂを有するが、逆方向から（右側から）接合部５３、第１空間形成部５４、フック部材５５ａ、フック部材５５ｂを有してもよい。また、可動部材５２も、左端から接合部５３、第２空間形成部５６、ループ部材５７を有するが、逆方向から（右側から）接合部５３、第２空間形成部５６、ループ部材５７を有してもよい。【００２８】  次に、棒保持具５０の使用方法を説明する。
図６（ａ）は、棒状部材３１を保持する前の（収納時の）棒保持具５０である。本体部５１は台２１の外縁２３に取り付けられている。
図６（ａ）の状態では本体部５１のフック部材５５ｂと可動部材５２のループ部材５７とが接合している。本体部５１の接合部５３からフック部材５５ｂまでの長さと、可動部材５２の接合部５３からループ部材５７までの長さは同一であり、そのため可動部材５２は一直線に伸びた平な部材（板状の部材）となる。
図６（ｂ）は、可動部材５２の右側を本体部５１から離した状態である。可動部材５２の右端を指で摘み、手前に引っ張れば容易に可動部材５２の端部を本体部５１から離すことができる。なお、ここでは面ファスナーを使用しているので、何度も本体部５１と可動部材５２とを着脱できる。
次に、図９（ｃ）のように杖３１を立てた状態で第１空間形成部５４と第２空間形成部５６との間に挿入し、ループ部材５７をフック部材５５ａに接合する。
これにより杖３１を保持することができる。
なお、杖３１を取り出す時（使用する時）は、ループ部材５７をフック部材５５ａから剥がし、杖３１を取り出し、ループ部材５７をフック部材５５ｂに接合して収納する。このように本実施例に係る発明は、保持具を台２１の外縁２３に平面的に収納すれば、棒保持部材５０は邪魔になることがない。【００２９】  なお、ここではフック部材５５が第１着脱部材としての役割を果たし、ループ部材５７が第２着脱部材としての役割を果たすが、この役割を逆転させ、フック部材５５を第２着脱部材として使用し、ループ部材５７を第１着脱部材として使用してもよい。また、着脱部材として磁石と鉄の組み合わせや、ボタン（凸部材と凹部材とからなるボタン）など繰り返し着脱可能な他の部材を使用してもよい。
【実施例４】
【００３０】  本発明の実施例４を図に基づいて説明する。
実施例４は実施例３の棒保持具５０を、机２０の下面２２に収納するものである。
図７の通り、本体部５１を板状の部材（面下保持部材６０）に、蝶番のように回転可能に取り付ける。これにより、本体部５１は面下保持部材６０に対して垂直となる方向および面下保持部材６０と重なり合う方向に回転可能となる。
図７（ｃ）のように、本体部５１の裏面は面ファスナーの一方部材であるフック部材６１を有し、面下保持部材６０の下面は面ファスナーの他方部材であるループ部材６２を有する。
図７（ｃ）のように、面下保持部材６０の上面を、棒保持部材５０が正面（机の外側）を向くように机２０の下面２２の端部２３に両面テープ等の固定手段により固定する。
このようにすれば、杖３１を保持する時は図７（ｃ）のように棒保持具５０を机２０の外縁２３に出現させることができ、外縁２３と保持具５０とにより強固に杖３１を保持でき、杖３１を保持しない時は、図７（ｄ）のように棒保持具５０を回転させ、フック部材６１とループ部材６２とを接合し、机２０の下面２２に水平に（面下保持部材６０と棒保持具５０とを畳んで重ねるように）収納することができる。これにより実施例３よりも一層棒保持具５０が邪魔になることがない。【００３１】  また、図８のように、本体部５１を回転可能に保持する面下保持部材６８で本体部５１を保持してもよい。この際、本体部５１は、本体部５１の２点を固定する本体固定部材６９（板材６９ａと板材６９ｂとからなる本体固定部材６９）によって支えられる。このようにすれば、杖３１を可動部材５２で覆う際に、本体部５１が台２１の内側方向と外側方向に揺れてしまい、覆う動作が困難になることを防止できる。なお、台２１の下面２２には、面下保持部材６８のの内側および外側に第１着脱部材が設けられ、それに対応する板材６９ａと板材６９ｂには第２着脱部材が設けられている。
【実施例５】
【００３２】  本発明の実施例５を図に基づいて説明する。
図９（ａ）は、実施例１の荷物保持具１から棒保持部材６を取り去ったものである。このように本発明は杖を保持せず、鞄３０のみを保持するものであってもよい。
また、図９（ｂ）のように落下防止用フック４（または荷物保持部材２の何れかの位置）にストッパー６５を設けてもよい。このストッパー６５は、落下防止用フック４から荷物用フック３の方向に向けて伸びるものであり、落下防止用フック４を台２１に設置する際に、外縁２３と接触することにより荷物保持部材２を縁２３の外側に突出させるものである（それ以上荷物保持部材２を台２１側に押し込めないようにしたものである）。この突出した部分に杖３１を立てかければ杖を保持できる。すなわち、荷物用フック２または落下防止用フック３を棒保持部材として機能させるものである。よって、突出する幅は、少なくとも杖３１の半径より大きいことが望ましい。
【実施例６】
【００３３】  本発明の実施例６を図に基づいて説明する。
図１０は、面下保持部材７０に荷物用フック３と棒保持部材６とを取り付けたものである。
面下保持部材７０は、台２１の下面２２の外縁２３近傍に取り付けられるものである。
荷物用フック３は、面下保持部材７０に回転可能に取り付けられ、台２１の下面２２と平行（水平）になる方向および下面２２に対し垂直になる方向に回転可能である（図１０（ｃ））。よって、収納時、荷物用フック３は台２０の下面２２と水平な状態で保持できるので邪魔にならない。一方、使用時は下面２２に対し垂直な状態となり、鞄３０を保持できる。なお、面下保持部材７０を磁性を帯びた素材であり、荷物用フック６を鉄製とする（ただし、これに限るものではない）。このようにすれば荷物用フック６を水平に保持できる。【００３４】  棒保持部材６は、折り曲げ・湾曲が可能な柔軟な素材である。
収納時、棒保持部材６は面下保持部材７０外縁内に収まっており邪魔にならない。一方、使用時は、これを折り曲げまたは湾曲させることにより、面下保持部材７０の外側（面下保持部材７０を台２０の外縁近傍に取り付けた場合、台２０の外縁２３の外側）に突出させることができ、杖３１を立てかけるように保持できる。
面下保持部材７０は、荷物用フック６を水平に保持する領域（荷物用フック保持領域７２）を有し、荷物用フック保持領域以外の場所に棒保持部材保持領域７３を有し、ここに棒保持部材６を保持する。このようにすれば荷物用フック６を水平に保持しても棒保持部材６と接触することがない。【００３５】  上記実施例では、特定の例に基づいて本発明の内容を説明したが、本発明はこれに限るものではない。すなわち、本発明の趣旨に沿うものであれば、異なる位置・角度・大きさ・形状・素材であてもよい。
また、本発明は、杖のみならず傘など他の棒保持部材の保持にも利用できる。
さらに、この保持具を後からつけるのではなく、保持具を予め備えた机を製造販売してもよい。
【符号の説明】
【００３６】  １  荷物保持具、２  荷物保持部材、３  荷物用フック、４  落下防止用フック、５  支持棒、６  棒保持部材、７  円筒、８  内部空間、９  充填剤、１０  面下保持部材、１１  内部空間、１２  連結部材、２０  机、２１  台、２２  面下、２３  机の端部、２５  両面テープ、３０  鞄、３１  杖、４０  鉄板、４１  磁石、４２  面下保持部材、４３  連結部材、５０  棒保持具、５１  本体部、５２  可動部材、５３  接合部、５４  第１空間形成部、５５  フック部材、５６  第２空間形成部、５７  ループ部材、６０  面下保持部材、６１  フック部材、６２  ループ部材、６５  ストッパー、６８  面下保持部材、６９  本体固定部材、７０  面下保持部材、７１  荷物用フック保持領域、７２  棒保持部材保持領域、８０  従来の杖の保持具、８１  机、８２  開口部、８３  杖
【図１】
2019058632.tif 000003
【図２】
2019058632.tif 000004
【図３】
2019058632.tif 000005
【図４】
2019058632.tif 000006
【図５】
2019058632.tif 000007
【図６】
2019058632.tif 000008
【図７】
2019058632.tif 000009
【図８】
2019058632.tif 000010
【図９】
2019058632.tif 000011
【図１０】
2019058632.tif 000012
【図１１】
2019058632.tif 000013